(57)【要約】【課題】押し操作で発電するリモコン装置において、大型化せずに特殊モード信号をトイレ装置に向けて送信することができるリモコン装置を提供する。また、押し操作で発電するリモコン装置を備えたトイレシステムにおいて、大型化せずに特殊モード動作を実行することができるトイレシステムを提供する。【解決手段】リモコン制御部は、所定時間以内に前記複数の操作ボタンのうち少なくとも１つの操作ボタンの押し操作が複数回行われたと判断すると、操作ボタンに対応した無線信号とは異なる特殊モード信号を送信部から前記トイレ装置に向けて送信する。また、トイレ制御部は、所定時間以内に操作ボタンに対応した無線信号を複数回受信したと判断すると、通常動作とは異なる特殊モード動作を実行する。【選択図】図８
2015190237.tif 000002
【特許請求の範囲】
【請求項１】
トイレ装置を遠隔操作するためのリモコン装置であって、
定常位置と最下点位置とに移動可能であり、押し操作に応じて前記定常位置から前記最下点位置に移動する複数の操作ボタンと、
前記複数の操作ボタンのそれぞれに対応して設けられ、前記複数の操作ボタンのそれぞれの押し操作を検出する複数の検出部と、
前記複数の操作ボタンにおける押し操作に応じて電力を発生させる発電部と、
前記複数の検出部それぞれの検出結果に基づいて、押し操作された前記操作ボタンを判別するリモコン制御部と、
判別した前記操作ボタンに対応した無線信号をトイレ装置に向けて送信する送信部と、
を備え、
前記リモコン制御部は、所定時間以内に前記複数の操作ボタンのうち少なくとも１つの操作ボタンの押し操作が複数回行われたと判断すると、前記操作ボタンに対応した無線信号とは異なる特殊モード信号を前記送信部から前記トイレ装置に向けて送信することを特徴とするリモコン装置。
【請求項２】
前記リモコン制御部は、前記所定時間以内に前記複数の操作ボタンのうち異なる２つ以上の操作ボタンの押し操作が前記複数回行われたと判断すると、前記操作ボタンに対応した無線信号とは異なる特殊モード信号を前記送信部から前記トイレ装置に向けて送信することを特徴とする請求項１に記載のリモコン装置。
【請求項３】
トイレ装置を遠隔操作するためのリモコン装置であって、
定常位置と最下点位置とに移動可能であり、押し操作に応じて前記定常位置から前記最下点位置に移動する複数の操作ボタンと、
前記複数の操作ボタンのそれぞれに対応して設けられ、前記複数の操作ボタンのそれぞれの押し操作を検出する複数の検出部と、
前記複数の操作ボタンにおける押し操作に応じて電力を発生させる発電部と、
前記複数の検出部それぞれの検出結果に基づいて、押し操作された前記操作ボタンを判別するリモコン制御部と、
判別した前記操作ボタンに対応した無線信号をトイレ装置に向けて送信する送信部と、
を備え、
前記リモコン制御部は、前記操作ボタンの押し操作が行われたと判断してから次に前記操作ボタンの押し操作が行われるまでの操作間隔が所定間隔時間よりも短い状態で、前記操作ボタンの押し操作が複数回行われたと判断すると、前記操作ボタンに対応した無線信号とは異なる特殊モード信号を前記送信部から前記トイレ装置に向けて送信することを特徴とするリモコン装置。
【請求項４】
前記リモコン制御部は、前記操作ボタンが最初に押し操作されてから前記操作ボタンの押し操作が前記複数回に達するまでの経過時間が、前記所定間隔時間よりも長く設定された受付時間より短いと判断すると、前記特殊モード信号の送信を行うことを特徴とする請求項３記載のリモコン装置。
【請求項５】
人体の局部を洗浄する局部洗浄手段を備えたトイレ装置と、このトイレ装置を遠隔操作するためのリモコン装置と、からなるトイレシステムにおいて、
前記リモコン装置は、定常位置と最下点位置とに移動可能であり、押し操作に応じて前記定常位置から前記最下点位置に移動する複数の操作ボタンと、前記複数の操作ボタンのそれぞれに対応して設けられ、前記複数の操作ボタンのそれぞれの押し操作を検出する複数の検出部と、前記複数の操作ボタンにおける押し操作に応じて電力を発生させる発電部と、前記複数の検出部それぞれの検出結果に基づいて、押し操作された前記操作ボタンを判別するリモコン制御部と、判別した前記操作ボタンに対応した無線信号を前記トイレ装置に向けて送信する送信部と、を備え、
前記トイレ装置は、前記送信部から送信された前記無線信号を受信し、その受信した無線信号に対応した通常動作を実行するトイレ制御部を備え、
前記トイレ制御部は、所定時間以内に前記操作ボタンに対応した無線信号を複数回受信したと判断すると、前記通常動作とは異なる特殊モード動作を実行することを特徴とするトイレシステム。
【請求項６】
人体の局部を洗浄する局部洗浄手段を備えたトイレ装置と、このトイレ装置を遠隔操作するためのリモコン装置と、からなるトイレシステムにおいて、
前記リモコン装置は、定常位置と最下点位置とに移動可能であり、押し操作に応じて前記定常位置から前記最下点位置に移動する複数の操作ボタンと、前記複数の操作ボタンのそれぞれに対応して設けられ、前記複数の操作ボタンのそれぞれの押し操作を検出する複数の検出部と、前記複数の操作ボタンにおける押し操作に応じて電力を発生させる発電部と、前記複数の検出部それぞれの検出結果に基づいて、押し操作された前記操作ボタンを判別するリモコン制御部と、判別した前記操作ボタンに対応した無線信号を前記トイレ装置に向けて送信する送信部と、を備え、
前記トイレ装置は、前記送信部から送信された前記無線信号を受信し、その受信した無線信号に対応した動作を実行するトイレ制御部を備え、
前記トイレ制御部は、前記操作ボタンに対応した無線信号を受信してから次に前記操作ボタンに対応した無線信号を受信するまでの受信間隔が所定間隔時間よりも短い状態で前記操作ボタンに対応した無線信号を複数回受信したと判断すると、前記通常動作とは異なる特殊モード動作を実行することを特徴とするトイレシステム。
【請求項７】
前記トイレ制御部は、前記操作ボタンに対応した無線信号を最初に受信してから前記無線信号を受信した回数が前記複数回に達するまでの経過時間が、前記所定受信時間よりも長く設定された受付時間より短いと判断すると、前記特殊モード動作を実行することを特徴とする請求項６に記載のリモコン装置。
【発明の詳細な説明】
【技術分野】
【０００１】
本発明の態様は、リモコン装置及びトイレシステムに関する。
【背景技術】
【０００２】
電子機器を遠隔操作するリモコン装置がある。例えば、便器洗浄や衛生洗浄の吐水などをトイレ装置に指表するためのリモコン装置がある。こうしたリモコン装置において、操作ボタンの押し操作に応じて発電を行う発電部を内部に設け、発電部で発電した電力を用いて、トイレ装置と通信を行うことが、例えば、特許文献１などで提案されている。
【０００３】
特許文献１に記載されたリモコン装置では、操作ボタン（スイッチ）の押し操作に応じて発電が開始されるとともに、回路部が起動し、充電手段の充電量を監視する。そして、一定の充電量になると、操作ボタンの状態を読み取る制御ユニット、及び、通信を行う発信部が駆動を開始する。
【０００４】
特許文献１に記載されたリモコン装置では、トイレ装置との信号線の配線や電源の配線を行う必要がなく、設置を容易にすることができる。また、電池交換などを行う必要もなく、電池式のリモコン装置に比べて、メンテナンス性を向上させることもできる。
【０００５】
一方で、特に、公共施設のようにトイレ装置の設置台数が多い場所では、リモコン装置の操作による誤動作を防ぐために、トイレ装置とリモコン装置とのペアリングを行う必要がある。また、公共施設のように老若男女問わずさまざまな使用者が使用する場所では、管理者や施工者などの特定の者のみが温度調整や流量調整を行いたいという要望がある。これらに対応するために、管理者や施工者などの特定者のみが使用する特殊モードがある。
【０００６】
従来、通常モードから特殊モードへの切替は、リモコン装置に複数設けられた操作ボタンのうち２個以上の操作ボタンを同時に押すなどの操作により行われていた。
【先行技術文献】
【特許文献】
【０００７】
【特許文献１】特開２００６−９２８０号公報
【発明の概要】
【発明が解決しようとする課題】
【０００８】
しかしながら、例えば、特許文献１に記載されたリモコン装置のように、１つの発電部で複数のスイッチに対応する場合、従来のように特殊モードの切替のために操作ボタンの２個以上の同時押しを行ったとしても、それらを制御ユニットが認識できないといった問題が生じる。具体的には、同じ発電部に操作ボタン２個以上を同時に押したつもりでも、操作ボタンのストローク量が長いためにそれらの操作ボタンが押されたことが検知されるタイミングが異なり、その結果制御ユニットが操作ボタン２個以上を同時に押されたことを認識できないという問題が生じる。
【０００９】
そこで、１つの操作ボタンに対して１つの発電機を設けた場合、操作ボタン２個以上の同時押しを制御ユニットが認識することはできるが、発電機の数が増えてしまう分リモコン装置が大きくなる。そのため、デザイン性の低下やコストの増加などの問題が生じる。
【００１０】
本発明は、上記課題を解決するためになされたものであり、押し操作で発電するリモコン装置において、大型化せずに特殊モード信号をトイレ装置に向けて送信することができるリモコン装置を提供すること目的とする。また、押し操作で発電するリモコン装置を備えたトイレシステムにおいて、大型化せずに特殊モード動作を実行することができるトイレシステムを提供することを目的とする。
【課題を解決するための手段】
【００１１】
第１の発明は、トイレ装置を遠隔操作するためのリモコン装置であって、定常位置と最下点位置とに移動可能であり、押し操作に応じて前記定常位置から前記最下点位置に移動する複数の操作ボタンと、前記複数の操作ボタンのそれぞれに対応して設けられ、前記複数の操作ボタンのそれぞれの押し操作を検出する複数の検出部と、前記複数の操作ボタンにおける押し操作に応じて電力を発生させる発電部と、前記複数の検出部それぞれの検出結果に基づいて、押し操作された前記操作ボタンを判別するリモコン制御部と、判別した前記操作ボタンに対応した無線信号をトイレ装置に向けて送信する送信部と、を備え、前記リモコン制御部は、所定時間以内に前記複数の操作ボタンのうち少なくとも１つの操作ボタンの押し操作が複数回行われたと判断すると、前記操作ボタンに対応した無線信号とは異なる特殊モード信号を前記送信部から前記トイレ装置に向けて送信することを特徴とする。
【００１２】
このような構成のリモコン装置によれば、押し操作で発電するリモコン装置において、大型化せずに特殊モード信号をトイレ装置に向けて送信することができる。
【００１３】
また、第２の発明は、前記リモコン制御部は、前記所定時間以内に前記複数の操作ボタンのうち異なる２つ以上の操作ボタンの押し操作が前記複数回行われたと判断すると、前記操作ボタンに対応した無線信号とは異なる特殊モード信号を前記送信部から前記トイレ装置に向けて送信することを特徴とする。
【００１４】
このような構成のリモコン装置によれば、誤って特殊モード信号がトイレ装置へ向けて送信されてしまうことを抑制することができる。
【００１５】
また、第３の発明は、トイレ装置を遠隔操作するためのリモコン装置であって、定常位置と最下点位置とに移動可能であり、押し操作に応じて前記定常位置から前記最下点位置に移動する複数の操作ボタンと、前記複数の操作ボタンのそれぞれに対応して設けられ、前記複数の操作ボタンのそれぞれの押し操作を検出する複数の検出部と、前記複数の操作ボタンにおける押し操作に応じて電力を発生させる発電部と、前記複数の検出部それぞれの検出結果に基づいて、押し操作された前記操作ボタンを判別するリモコン制御部と、判別した前記操作ボタンに対応した無線信号をトイレ装置に向けて送信する送信部と、を備え、前記リモコン制御部は、前記操作ボタンの押し操作が行われたと判断してから次に前記操作ボタンの押し操作が行われるまでの操作間隔が所定間隔時間よりも短い状態で、前記操作ボタンの押し操作が複数回行われたと判断すると、前記操作ボタンに対応した無線信号とは異なる特殊モード信号を前記送信部から前記トイレ装置に向けて送信することを特徴とする。
【００１６】
このような構成のリモコン装置によれば、押し操作で発電するリモコン装置において、大型化せずに特殊モード信号をトイレ装置に向けて送信することができる。
【００１７】
また、第４の発明は、前記リモコン制御部は、前記操作ボタンが最初に押し操作されてから前記複数回に達するまでの経過時間が、前記所定間隔時間よりも長く設定された受付時間より短いと判断すると、前記特殊モード信号の送信を行うことを特徴とする。
【００１８】
このような構成のリモコン装置によれば、誤って特殊モード信号がトイレ装置へ向けて送信されてしまうことを抑制することができる。
【００１９】
また、第５の発明は、人体の局部を洗浄する局部洗浄手段を備えたトイレ装置と、このトイレ装置を遠隔操作するためのリモコン装置と、からなるトイレシステムにおいて、前記リモコン装置は、定常位置と最下点位置とに移動可能であり、押し操作に応じて前記定常位置から前記最下点位置に移動する複数の操作ボタンと、前記複数の操作ボタンのそれぞれに対応して設けられ、前記複数の操作ボタンのそれぞれの押し操作を検出する複数の検出部と、前記複数の操作ボタンにおける押し操作に応じて電力を発生させる発電部と、前記複数の検出部それぞれの検出結果に基づいて、押し操作された前記操作ボタンを判別するリモコン制御部と、判別した前記操作ボタンに対応した無線信号を前記トイレ装置に向けて送信する送信部と、を備え、前記トイレ装置は、前記送信部から送信された前記無線信号を受信し、その受信した無線信号に対応した通常動作を実行するトイレ制御部を備え、前記トイレ制御部は、所定時間以内に前記操作ボタンに対応した無線信号を複数回受信したと判断すると、前記通常動作とは異なる特殊モード動作を実行することを特徴とする。
【００２０】
このような構成のトイレシステムによれば、押し操作で発電するリモコン装置を備えたトイレシステムにおいて、大型化せずに特殊モード動作を実行することができる。
【００２１】
また、第６の発明は、人体の局部を洗浄する局部洗浄手段を備えたトイレ装置と、このトイレ装置を遠隔操作するためのリモコン装置と、からなるトイレシステムにおいて、前記リモコン装置は、定常位置と最下点位置とに移動可能であり、押し操作に応じて前記定常位置から前記最下点位置に移動する複数の操作ボタンと、前記複数の操作ボタンのそれぞれに対応して設けられ、前記複数の操作ボタンのそれぞれの押し操作を検出する複数の検出部と、前記複数の操作ボタンにおける押し操作に応じて電力を発生させる発電部と、前記複数の検出部それぞれの検出結果に基づいて、押し操作された前記操作ボタンを判別するリモコン制御部と、判別した前記操作ボタンに対応した無線信号を前記トイレ装置に向けて送信する送信部と、を備え、前記トイレ装置は、前記送信部から送信された前記無線信号を受信し、その受信した無線信号に対応した動作を実行するトイレ制御部を備え、前記トイレ制御部は、前記操作ボタンに対応した無線信号を受信してから次に前記操作ボタンに対応した無線信号を受信するまでの受信間隔が所定間隔時間よりも短い状態で前記操作ボタンに対応した無線信号を複数回受信したと判断すると、前記通常動作とは異なる特殊モード動作を実行することを特徴とする。
【００２２】
このような構成のトイレシステムによれば、押し操作で発電するリモコン装置を備えたトイレシステムにおいて、大型化せずに特殊モード動作を実行することができる。
【００２３】
また、第７の発明は、前記トイレ制御部は、前記操作ボタンに対応した無線信号を最初に受信してから前記複数回に達するまでの経過時間が、前記所定受信時間よりも長く設定された受付時間より短いと判断すると、前記特殊モード動作を実行することを特徴とする。
【００２４】
このような構成のトイレシステムによれば、誤って特殊モード動作を実行してしまうことを抑制することができる。
【発明の効果】
【００２５】
本発明の態様によれば、押し操作で発電するリモコン装置において、大型化せずに特殊モード信号をトイレ装置に向けて送信することができるリモコン装置を提供することができる。また、押し操作で発電するリモコン装置を備えたトイレシステムにおいて、大型化せずに特殊モード動作を実行することができるトイレシステムを提供することができる。
【図面の簡単な説明】
【００２６】
【図１】図１（ａ）及び図１（ｂ）は、本発明の第１実施形態の形態に係るリモコン    装置を模式的に表す斜視図である。
【図２】本発明の第１実施形態に係るリモコン装置を模式的に表す正面図である。
【図３】本発明の第１実施形態に係るリモコン装置を模式的に表すブロック図である    。
【図４】本発明の第１実施形態に係る電源部を模式的に表す回路図である。
【図５】本発明の第１実施形態に係るリモコン装置の内部構造を表す模式図である。
【図６】図６（ａ）〜図６（ｄ）は、本発明の第１実施形態に係るリモコン装置の一    部を表す模式図である。
【図７】図７（ａ）〜図７（ｄ）は、本発明の第１実施形態に係るリモコン装置の動    作の一例を模式的に表すグラフ図である。
【図８】本発明の第１実施形態に係る制御装置が有する特殊モード信号用テーブルの    例を表す図である。
【図９Ａ】本発明の第１実施形態に係るリモコン装置の信号生成・送信フローを表す    フローチャートである。
【図９Ｂ】本発明の第１実施形態に係るリモコン装置の信号生成・送信フローを表す    フローチャートである。
【図１０】本発明の第１実施形態に係るトイレ装置の受信・動作フローを表すメイン    フローチャートである。
【図１１】本発明の第１実施形態に係るトイレ装置の受信・動作フローを表すサブフ    ローチャートである。
【図１２Ａ】本発明の第２実施形態に係るリモコン装置の信号生成・送信フローを表    すフローチャートである。
【図１２Ｂ】本発明の第２実施形態に係るリモコン装置の信号生成・送信フローを表    すフローチャートである。
【図１３Ａ】本発明の第３実施形態に係るリモコン装置の信号生成・送信フローを表    すフローチャートである。
【図１３Ｂ】本発明の第３実施形態に係るリモコン装置の信号生成・送信フローを表    すフローチャートである。
【図１４】本発明の第４実施形態に係るリモコン装置の信号生成・送信フローを表す    フローチャートである。
【図１５Ａ】本発明の第４実施形態に係るトイレ装置の受信・動作フローを表すメイ    ンフローチャートである。
【図１５Ｂ】本発明の第４実施形態に係るトイレ装置の受信・動作フローを表すメイ    ンフローチャートである。
【図１６Ａ】本発明の第５実施形態に係るトイレ装置の受信・動作フローを表すメイ    ンフローチャートである。
【図１６Ｂ】本発明の第５実施形態に係るトイレ装置の受信・動作フローを表すメイ    ンフローチャートである。
【図１７Ａ】本発明の第６実施形態に係るトイレ装置の受信・動作フローを表すメイ    ンフローチャートである。
【図１７Ｂ】本発明の第６実施形態に係るトイレ装置の受信・動作フローを表すメイ    ンフローチャートである。
【発明を実施するための形態】
【００２７】
以下、本発明の実施の形態について図面を参照しつつ説明する。なお、各図面中、同様の構成要素には同一の符号を付して詳細な説明は適宜省略する。
【００２８】
（第１実施形態）
図１（ａ）及び図１（ｂ）は、本発明の第１実施形態の形態に係るリモコン装置を模式的に表す斜視図である。
図１（ａ）及び図１（ｂ）に表したように、リモコン装置１０は、トイレ装置１００とともに用いられ、トイレ装置１００とともにトイレシステムＳを構成する。リモコン装置１０は、複数の操作ボタン１２を含む。各操作ボタン１２は、例えば、押し操作が可能な、いわゆる押しボタンである。各操作ボタン１２は、定常位置と最下点位置とに移動可能であり、押し操作に応じて定常位置から最下点位置に移動する。また、各操作ボタン１２は、図示を省略したバネなどにより、操作されていない状態において定常位置に保持される。各操作ボタン１２は、押し操作によって最下点位置に移動した後、押し操作の解除によって定常位置に戻る。
【００２９】
リモコン装置１０は、各操作ボタン１２の操作を検出し、操作された操作ボタン１２に応じた無線信号をトイレ装置１００に送信する。トイレ装置１００は、リモコン装置１０から送信された無線信号を受信し、その無線信号に応じた動作を実行する。このように、リモコン装置１０は、使用者の操作に応じて、所定の動作の実行をトイレ装置１００に指示し、トイレ装置１００を遠隔操作する。
【００３０】
トイレ装置１００は、洋式腰掛便器１１０（以下、便器１１０と称す）と、その上に設けられた便座ユニット１２０と、を備える。
【００３１】
便器１１０は、ボウル部１１２を有する。ボウル部１１２は、便器１１０の上部に設けられる。ボウル部１１２は、便器１１０の上面１１０ａよりも凹んだ凹状である。ボウル部１１２は、使用者から排泄された汚物や尿などを受ける。また、ボウル部１１２は、内
部に水を貯留し、排水管から悪臭や害虫類などが室内に侵入することを防ぐ。
【００３２】
便座ユニット１２０は、本体部１２２と、便座１２４と、便蓋１２６と、を有する。便座１２４と便蓋１２６とは、本体部１２２に対して開閉可能にそれぞれ軸支されている。図１（ａ）及び図１（ｂ）は、便蓋１２６が開いた状態を表している。図１（ａ）は、便座１２４が開いた状態を表している。図１（ｂ）は、便座１２４が閉じた状態を表している。便蓋１２６は、閉じた状態において便座１２４の上方を覆う。なお、便蓋１２６は、必ずしも設けられていなくてもよい。
【００３３】
便座ユニット１２０は、例えば、衛生洗浄機能と、局部乾燥機能と、便座暖房機能と、を有する。衛生洗浄機能は、便座１２４に座った使用者の「おしり」などを洗浄する洗浄動作を行う機能である。局部乾燥機能は、便座１２４に座った使用者の「おしり」などに温風を吹き付けることにより、衛生洗浄によって濡れた「おしり」などを乾燥させる乾燥動作を行う機能である。便座暖房機能は、便座１２４の着座面を適温に温める便座加熱動作を行う機能である。
【００３４】
衛生洗浄機能では、例えば、使用者の操作に応じて、人体局部に向けて洗浄水を吐水するノズル１３０を本体部１２２から便器１１０のボウル部１１２内に進出させる。そして、ノズル１３０の先端付近に設けられた吐水口から洗浄水を噴射する。これにより、使用者の「おしり」などを洗浄することができる。ノズル１３０は、衛生洗浄機能を実行していない状態では、本体部１２２内に収納される。
【００３５】
また、衛生洗浄機能は、例えば、使用者の「おしり」に向けて洗浄水を噴射するおしり洗浄機能と、女性局部に向けて洗浄水を噴射するビデ洗浄機能と、を含む。衛生洗浄機能では、冷水のみならず、ヒータによって加熱した温水を洗浄水として吐水口から噴射することもできる。
【００３６】
本体部１２２は、リモコン装置１０の送信部４４（図３参照）から送信された無線信号を受信し、その受信した無線信号に対応した通常動作を実行するトイレ制御部（図示なし）を備える。本体部１２２は、便器１１０の上部後方に設置される。本体部１２２の前面は、ボウル部１１２の開口端の形状に沿って凹状に湾曲した湾曲凹面１３２を有する。湾曲凹面１３２の左右には、ボウル部１１２の開口端に沿って前方に向けて延出した延出部１３４が設けられている。湾曲凹面１３２は、その中央付近が高く、左右の延出部１３４に近づくにしたがって次第に低くなる形状を有する。
【００３７】
湾曲凹面１３２の中央には、ノズルダンパー１３６と温風ダンパー１３８とが設けられている。ノズルダンパー１３６は、ノズル１３０を進出及び後退させる開口部を覆う閉止部材である。温風ダンパー１３８は、ノズルダンパー１３６の右側に並べて配置されている。温風ダンパー１３８は、局部乾燥用の温風の吹出口を覆う閉止部材である。ノズルダンパー１３６及び温風ダンパー１３８は、例えば、本体部１２２に回動可能に支持されている。
【００３８】
ノズルダンパー１３６は、例えば、支持軸を中心に回転することにより、開口部を覆う閉じ位置と、開口部を露出させる開き位置との間で移動する。ノズルダンパー１３６は、衛生洗浄機能を実行していない待機状態において、閉じ位置に保持される。そして、ノズルダンパー１３６は、衛生洗浄機能の実行によってノズル１３０が進出する際に、開き位置に移動する。
【００３９】
温風ダンパー１３８は、例えば、支持軸を中心に回転することにより、吹出口を覆う閉じ位置と、吹出口を露呈させる開き位置との間で移動する。温風ダンパー１３８は、局部乾燥機能を実行していない待機状態において、閉じ位置に保持される。そして、温風ダンパー１３８は、局部乾燥機能の実行によって使用者の「おしり」などに温風を吹き付ける際に、開き位置に移動する。
【００４０】
図２は、本発明の第１実施形態に係るリモコン装置を模式的に表す正面図である。  
図２に表したように、リモコン装置１０は、複数の操作ボタン１２と、各操作ボタン１２を支持するリモコン本体１４と、を備える。複数の操作ボタン１２は、メインボタン群１２ｍと、サブボタン群１２ｓと、に分けられている。
【００４１】
メインボタン群１２ｍは、例えば、おしり洗浄ボタン１２ａと、ビデ洗浄ボタン１２ｂと、乾燥ボタン１２ｃと、停止ボタン１２ｄと、を含む。
【００４２】
おしり洗浄ボタン１２ａは、トイレ装置１００におしり洗浄の開始を指表するためのボタンである。ビデ洗浄ボタン１２ｂは、トイレ装置１００にビデ洗浄の開始を指表するためのボタンである。乾燥ボタン１２ｃは、トイレ装置１００に局部乾燥の開始を指表するためのボタンである。停止ボタン１２ｄは、トイレ装置１００に衛生洗浄機能や局部乾燥機能の停止を指表するためのボタンである。すなわち、この例においては、おしり洗浄ボタン１２ａとビデ洗浄ボタン１２ｂとが、ノズル１３０からの吐水を行わせるための吐水ボタンである。停止ボタン１２ｄは、ノズル１３０からの吐水を停止させる。
【００４３】
このように、メインボタン群１２ｍには、衛生洗浄や局部乾燥などの各種の機能の実行及び停止をトイレ装置１００に指表するための操作ボタン１２が設けられる。
【００４４】
サブボタン群１２ｓは、例えば、吐水流量大ボタン１２ｅと、吐水流量小ボタン１２ｆと、洗浄位置前進ボタン１２ｇと、洗浄位置後退ボタン１２ｈと、を含む。
【００４５】
吐水流量大ボタン１２ｅは、衛生洗浄時に噴射される洗浄水の勢いを強くする指示をトイレ装置１００に入力するためのボタンである。吐水流量小ボタン１２ｆは、衛生洗浄時に噴射される洗浄水の勢いを弱くする指示をトイレ装置１００に入力するためのボタンである。洗浄位置前進ボタン１２ｇは、洗浄位置（ノズル１３０の位置）を前進させる指示をトイレ装置１００に入力するためのボタンである。洗浄位置後退ボタン１２ｈは、洗浄位置を後退させる指示をトイレ装置１００に入力するためのボタンである。
【００４６】
このように、サブボタン群１２ｓには、各種の機能の状態の変更をトイレ装置１００に指表するための操作ボタン１２が設けられる。
【００４７】
なお、メインボタン群１２ｍ及びサブボタン群１２ｓに含まれる操作ボタン１２は、上記に限定されるものではない。例えば、サブボタン群１２ｓには、洗浄水や乾燥風の温度の変更をトイレ装置１００に指表するための操作ボタン１２などを設けてもよい。
【００４８】
図３は、本発明の第１実施形態に係るリモコン装置を模式的に表すブロック図である。
図３に表したように、リモコン装置１０は、複数の検出部２０と、発電部２２と、電源部２４と、制御ユニット２６と、をさらに備える。
【００４９】
複数の検出部２０は、複数の操作ボタン１２のそれぞれに対応して設けられる。複数の検出部２０のそれぞれは、複数の操作ボタン１２のそれぞれの押し操作を検出する。各検出部２０には、例えば、ホール素子が用いられる。各検出部２０は、例えば、機械式のスイッチなどでもよい。
【００５０】
発電部２２は、複数の操作ボタン１２のいずれかの押し操作に応じて発電を行う。発電部２２には、例えば、モータが設けられている。発電部２２は、操作ボタン１２の押し操作にともなう操作力をモータの回転軸に伝達し、回転軸を回転させる。これにより、発電部２２は、モータから交流の電力を発生させる。発電部２２の発電方式は、モータに限ることなく、必要な電力を供給できる任意の方式でよい。また、発電部２２から出力される電力は、直流でもよいし、脈流でもよい。
【００５１】
発電部２２と各操作ボタン１２との間には、伝達機構３０が設けられている。伝達機構３０は、各操作ボタン１２の押し操作にともなう操作力を発電部２２に伝達する。これにより、各操作ボタン１２のいずれを押し操作しても、その操作力が発電部２２に伝達され、発電部２２が発電を行う。従って、リモコン装置１０では、複数の操作ボタン１２に対し、１つの発電部２２で発電を行うことができる。
【００５２】
伝達機構３０は、例えば、第１伝達部３１と第２伝達部３２とを含む。第１伝達部３１は、メインボタン群１２ｍの各操作ボタン１２の操作力を受け、その操作力を第２伝達部３２に伝達する。第２伝達部３２は、第１伝達部３１からの操作力を受けるとともに、サブボタン群１２ｓの各操作ボタン１２の操作力を受け、その操作力を発電部２２に伝達する。
【００５３】
制御ユニット２６は、複数の検出部２０のそれぞれと電気的に接続されている。制御ユニット２６は、複数の検出部２０のそれぞれの検出結果を基に、押し操作された操作ボタン１２を判別する。そして、制御ユニット２６は、判別した操作ボタン１２に対応した無線信号をトイレ装置１００に送信することにより、トイレ装置１００を遠隔操作する。
【００５４】
制御ユニット２６は、例えば、おしり洗浄ボタン１２ａの押し操作を判別した場合、おしり洗浄の開始を指表する無線信号をトイレ装置１００に送信する。トイレ装置１００は、リモコン装置１０からの無線信号を受信し、その無線信号に対応した処理を実行する。トイレ装置１００は、例えば、おしり洗浄の開始を指表する無線信号の受信に応じて、ノズル１３０をボウル部１１２内に進出させ、ノズル１３０からの吐水を開始する。
【００５５】
制御ユニット２６は、例えば、同じ無線信号をトイレ装置１００に複数回送信する。制御ユニット２６は、例えば、同じ無線信号をトイレ装置１００に３回送信する。これにより、例えば、リモコン装置１０とトイレ装置１００との間の通信ミスを抑制することができる。
【００５６】
制御ユニット２６は、例えば、マイコン４０（リモコン制御部）と、高周波発生回路４２と、送信部４４と、を含む。マイコン４０は、例えば、押し操作された操作ボタン１２の判別、及び、判別した操作ボタン１２に対応する信号の生成を行う。高周波発生回路４２は、例えば、マイコン４０の生成した信号を高周波信号に変換する。高周波発生回路４２は、例えば、２．４ＧＨｚの高周波信号を生成する。送信部４４は、例えば、アンテナを含み、高周波発生回路４２の生成した高周波信号を無線信号に変換してトイレ装置１００に送信する。
【００５７】
制御ユニット２６は、２．４ＧＨｚの無線信号をトイレ装置１００に送信する。２．４ＧＨｚ帯を用いた無線通信では、例えば、赤外線通信の場合のように、電波の透過窓（いわゆる黒窓）をリモコン本体１４に設ける必要がなくなる。これにより、例えば、リモコン装置１０の意匠性を高めることができる。また、２．４ＧＨｚ帯を用いた無線通信では、赤外線通信に比べて障害物の影響が小さい。これにより、トイレ装置１００との間の通信品質を高めることもできる。
【００５８】
なお、マイコン４０、高周波発生回路４２及び送信部４４は、１つのチップ内に納めてもよいし、異なる素子として分けてもよい。リモコン装置１０とトイレ装置１００との間の通信は、上記に限ることなく、任意でよい。制御ユニット２６の構成は、上記に限ることなく、操作ボタン１２の判別やトイレ装置１００との無線通信などが可能な任意の構成でよい。
【００５９】
電源部２４は、発電部２２によって発電された電力を蓄積する蓄電素子５０を含む。電源部２４は、蓄電素子５０の電圧が所定値以上になった際に、蓄電素子５０に蓄積された電力を制御ユニット２６に供給して制御ユニット２６を起動させる。蓄電素子５０には、例えば、コンデンサや蓄電池などが用いられる。
【００６０】
ここで、「蓄電素子５０の電圧が所定値以上になった際」とは、例えば、制御ユニット２６の起動及び無線信号の送信に必要な電力が蓄電素子５０に蓄積された際である。制御ユニット２６が無線信号を複数回送信する場合には、制御ユニット２６の起動及び無線信号の複数回の送信に必要な電力が蓄電素子５０に蓄積された際である。このように、蓄電素子５０の電圧の前記所定値は、制御ユニット２６での消費電力に応じて設定される。所定値は、例えば、３．５Ｖである。「蓄電素子５０の電圧が所定値以上になった際」とは、換言すれば、発電部２２の発電の積算量が所定値以上になった際である。
【００６１】
また、蓄電素子５０の容量は、例えば、制御ユニット２６の起動及び無線信号の送信に必要な電力を蓄積できる最低限の容量に設定される。これにより、例えば、蓄電素子５０の大型化を抑制できる。また、蓄電素子５０に残った余剰の電力によって、制御ユニット２６が誤動作を起こすことなどを抑制できる。
【００６２】
図４は、本発明の第１実施形態に係る電源部を模式的に表す回路図である。  
図４に表したように、電源部２４は、例えば、整流器５２と、電圧検出部５４と、をさらに含む。整流器５２は、発電部２２の出力と電気的に接続される。整流器５２は、発電部２２から出力される交流電力を整流し、脈流電力に変換する。整流器５２は、例えば、４つのダイオード５２ｄを含むダイオードブリッジである。
【００６３】
蓄電素子５０は、整流器５２の出力に電気的に接続され、整流器５２から出力される脈流電力を蓄積する。また、これにより、蓄電素子５０は、整流器５２の脈流電力を直流電力に変換する。
【００６４】
電圧検出部５４は、蓄電素子５０の電圧を検出する。電圧検出部５４は、蓄電素子５０の電圧が所定値以上になった場合に、制御ユニット２６に電流を流す。これにより、蓄電素子５０に蓄積された電力が、制御ユニット２６に供給される。制御ユニット２６には、電圧検出部５４の検出した所定値以上の直流電圧が供給される。
【００６５】
図５は、本発明の第１実施形態に係るリモコン装置の内部構造を表す模式図である。  
図５に表したように、発電部２２は、本体モジュール２２ａと、可動部２２ｂと、を含む。可動部２２ｂは、本体モジュール２２ａから突出した突出位置と、本体モジュール２２ａ内に押し込まれた押し込み位置と、に移動する。可動部２２ｂは、図示を省略したバネなどにより、操作されていない状態において突出位置に保持される。可動部２２ｂを突出位置から押し込み位置に移動させる。発電部２２は、この可動部２２ｂの移動にともなう操作力により、発電を行う。
【００６６】
第１伝達部３１は、メインボタン群１２ｍの各操作ボタン１２のそれぞれと対向する棒状である。第２伝達部３２は、サブボタン群１２ｓの各操作ボタン１２のそれぞれと対向する棒状である。また、第２伝達部３２は、長手方向において発電部２２の可動部２２ｂと対向する位置に配置されている。
【００６７】
第１伝達部３１及び第２伝達部３２は、図中矢線で表すように、長手方向にスライド可能に取り付けられている。すなわち、第１伝達部３１及び第２伝達部３２は、いわゆるスライドバーである。また、第１伝達部３１及び第２伝達部３２は、連結部材３３によって互いに接続されている。これにより、第１伝達部３１及び第２伝達部３２は、互いに連動してスライド移動する。
【００６８】
メインボタン群１２ｍの各操作ボタン１２のいずれかを押し操作すると、その操作力が第１伝達部３１に伝わり、第１伝達部３１がスライド移動する。第１伝達部３１がスライド移動すると、連結部材３３を介して第２伝達部３２がスライド移動し、可動部２２ｂに当接して可動部２２ｂを突出位置から押し込み位置に移動させる。
【００６９】
サブボタン群１２ｓの各操作ボタン１２のいずれかを押し操作すると、その操作力が第２伝達部３２に伝わり、第２伝達部３２がスライド移動する。スライド移動した第２伝達部３２は、可動部２２ｂに当接し、可動部２２ｂを突出位置から押し込み位置に移動させる。これにより、各操作ボタン１２の押し操作によって、発電部２２が発電を行う。
【００７０】
図６（ａ）〜図６（ｄ）は、本発明の第１実施形態に係るリモコン装置の一部を表す模式図である。図６（ａ）〜図６（ｄ）は、操作ボタン１２の押し操作の一例を模式的に表す。
図６（ａ）は、操作ボタン１２が定常位置にある状態を表している。  
図６（ｂ）は、検出部２０が押し操作を検出する操作ボタン１２の位置を表している。
図６（ｃ）は、操作ボタン１２が最下点位置にある状態を表している。  
図６（ｄ）は、検出部２０が押し操作の検出状態を解除する操作ボタン１２の位置を表している。
【００７１】
図６（ａ）〜図６（ｄ）に表したように、検出部２０は、例えば、ホール素子２０ａと、磁石２０ｂと、を含む。ホール素子２０ａは、例えば、リモコン本体１４内の所定の位置に保持されている。磁石２０ｂは、操作ボタン１２に取り付けられている。検出部２０は、操作ボタン１２の押し操作に応じてホール素子２０ａと磁石２０ｂとの間の距離が近づくことにより、操作ボタン１２の押し操作を検出する。このように、検出部２０は、例えば、非接触で操作ボタン１２の押し操作を検出する。ホール素子２０ａと磁石２０ｂとの位置は、上記と反対に、ホール素子２０ａを操作ボタン１２に設け、磁石２０ｂをリモコン本体１４内に設けてもよい。押し操作の検出方法は、これに限ることなく、任意の方法でよい。
【００７２】
第２伝達部３２には、傾斜面状のスライドカム３２ａが設けられている。操作ボタン１２には、スライドカム３２ａと対向する位置に、スライドカム３２ａに対応した傾斜面１２ｐが設けられている。これにより、操作ボタン１２を押し操作すると、スライドカム３２ａの傾斜に従って垂直方向の力が水平方向の力に変換され、第２伝達部３２がスライド移動する。なお、図示は省略するが、第１伝達部３１も第２伝達部３２と同様に、スライドカムによってスライド移動する。
【００７３】
図６（ｂ）に表したように、操作ボタン１２を押し操作してホール素子２０ａと磁石２０ｂとの間の距離を近づける。これにより、検出部２０によって操作ボタン１２の押し操作が検出される。
【００７４】
図６（ｃ）に表したように、操作ボタン１２をさらに押し、最下点位置に移動させる。これにより、発電部２２の可動部２２ｂが押し込み位置に移動し、発電部２２によって発電が行われる。
【００７５】
このように、複数の検出部２０は、発電部２２の発電よりも前に、対応する各操作ボタン１２の押し操作を検出する。すなわち、複数の検出部２０は、制御ユニット２６の起動よりも前に押し操作を検出する。
【００７６】
また、発電部２２は、検出部２０の検出位置（図６（ｂ）に表した位置）よりも最下点位置側の発電位置に操作ボタン１２が移動した際に、蓄電素子５０の電圧を所定値以上にする。これにより、発電部２２は、押し操作のみで制御ユニット２６からの無線信号の送信を可能にする。
【００７７】
この例では、最下点位置が、発電位置である。発電位置は、これに限ることなく、検出位置と最下点位置との間の任意の位置でもよい。すなわち、発電位置は、検出位置と最下点位置との間の位置、または、最下点位置である。また、この例では、可動部２２ｂが押し込み位置に移動した時に、発電部２２で発電が行われる。発電が行われる可動部２２ｂの位置は、押し込み位置に限ることなく、突出位置と押し込み位置との間の任意の位置でもよい。
【００７８】
操作ボタン１２の押し操作を解除すると、弾性力によって発電部２２の可動部２２ｂが突出位置に戻る。可動部２２ｂが突出位置に戻ると、伝達機構３０を介して弾性力が操作ボタン１２に伝わり、操作ボタン１２が定常位置に戻る。なお、操作ボタン１２は、発電部２２内に設けられた弾性体（バネやゴムなど）からの弾性力のみで定常位置に戻してもよいし、伝達機構３０や操作ボタン１２に別の弾性体をさらに設けて定常位置に戻してもよい。
【００７９】
図６（ｄ）に表したように、複数の検出部２０は、押し操作の解除にともなって操作ボタン１２が発電位置から定常位置に戻るまでの間に、押し操作の検出状態を解除する。この時、検出部２０は、ホール素子２０ａのヒステリシス性により、磁石２０ｂとの距離が検出時よりも離れた状態で検出を解除する。これにより、複数の検出部２０のそれぞれにおいて、検出状態が解除される操作ボタン１２の位置は、検出位置よりも定常位置に近くなる。
【００８０】
次に、本実施形態に係るリモコン装置１０の作用について説明する。  
図７（ａ）〜図７（ｄ）は、本発明の第１実施形態に係るリモコン装置の動作の一例を模式的に表すグラフ図である。  
図７（ａ）〜図７（ｄ）の横軸は、時間（秒）である。図７（ａ）の縦軸は、操作ボタン１２の位置（ｍｍ）である。図７（ｂ）の縦軸は、検出部２０の検出状態である。図７（ｂ）では、検出部２０が押し操作を検出した状態（以下、オン状態と称す）を「Ｈｉ」、押し操作を検出していない状態（以下、オフ状態と称す）を「Ｌｏ」として表している。図７（ｃ）の縦軸は、制御ユニット２６の起動及び停止を表している。図７（ｄ）は、蓄電素子５０の電圧を表している。なお、制御ユニット２６の起動とは、通常モードを指し、制御ユニット２６の停止とは、制御ユニット２６の動作が行われない状態である停止モードを指す。図７（ｃ）では、少なくともタイマカウントを行い、回数カウントの記憶を継続でき、通常モードよりも電力の消費を抑えた低消費モードについては、図示を省略している。
【００８１】
使用者は、トイレ装置１００を使用した後などに、必要に応じてリモコン装置１０の操作ボタン１２を押す（図７（ａ）〜図７（ｄ）の時刻ｔ１）。使用者が各操作ボタン１２のいずれかを押すと、その押し操作が対応する検出部２０によって検出される（図７（ａ）〜図７（ｄ）の時刻ｔ２）。
【００８２】
時刻ｔ２では、まだ発電部２２で発電が行われておらず、制御ユニット２６も起動していない。このように、検出部２０は、制御ユニット２６の起動よりも前に押し操作を検出する。従って、制御ユニット２６が起動した際には、既に押し操作が検出された状態となる。これにより、例えば、制御ユニット２６における操作ボタン１２の判別を適切に行うことができる。
【００８３】
操作ボタン１２をさらに押し操作し、操作ボタン１２を最下点位置（発電位置）に移動させる（図７（ａ）〜図７（ｄ）の時刻ｔ３）。操作ボタン１２を最下点位置に移動させると、その操作力が伝達機構３０を介して発電部２２の可動部２２ｂに伝わり、可動部２２ｂが押し込み位置に移動する。可動部２２ｂが押し込み位置に移動すると、発電部２２で発電が行われる。
【００８４】
発電部２２が発電を行うと、蓄電素子５０の電圧が所定値以上になり、蓄電素子５０に蓄積された電力が電源部２４から制御ユニット２６に供給される。
【００８５】
制御ユニット２６は、電源部２４からの電力供給に応じて起動する。制御ユニット２６は、起動の後、まず各検出部２０の検出結果を基に、押し操作された操作ボタン１２の判別を行う。そして、制御ユニット２６は、判別した操作ボタン１２に対応した無線信号をトイレ装置１００に送信する。制御ユニット２６は、例えば、無線信号の送信を複数回行う。トイレ装置１００は、制御ユニット２６からの無線信号を受信し、受信した無線信号に応じた動作を実行する。これにより、制御ユニット２６は、トイレ装置１００を遠隔操作する。
【００８６】
リモコン装置１０では、蓄電素子５０の電圧が所定値以上になるまで制御ユニット２６が起動しない。例えば、制御ユニット２６が、蓄電素子５０の充電量の監視などを行う必要がない。これにより、消費電力を抑制することができる。発電部２２で発生した電力を無駄に消費することなく、必要最低限の発電量でリモコン装置１０を駆動することができる。また、発電部２２の発電量や蓄電素子５０の容量を抑制し、発電部２２及び蓄電素子５０を小型化できる。従って、リモコン装置１０を小型化することができる。
【００８７】
例えば、有線式や電池式などの従来のリモコン装置では、操作ボタンの押し操作が検出された時に、信号がトイレ装置に送信される。一方、本実施形態に係るリモコン装置１０では、発電部２２で発電が行われた時に、無線信号がトイレ装置１００に送信される。
【００８８】
リモコン装置１０では、検出部２０の検出位置よりも最下点位置側の発電位置に操作ボタン１２が移動した際に、蓄電素子５０の電圧が所定値以上になり、押し操作のみで制御ユニット２６からの無線信号の送信が可能になる。
【００８９】
制御ユニット２６は、無線信号の送信を行った後、停止状態になる（図７（ａ）〜図７（ｄ）の時刻ｔ４）。制御ユニット２６は、例えば、無線信号を送信した後、蓄電素子５０の電圧が所定値未満になることによって、停止状態にしてもよい。
【００９０】
例えば、指を操作ボタン１２から離して使用者が操作ボタン１２の押し操作を解除すると、操作ボタン１２が定常位置に向かって移動する。ホール素子２０ａと磁石２０ｂとの間の距離が所定の距離に達すると、検出部２０による押し操作の検出状態が解除される（図７（ａ）〜図７（ｄ）の時刻ｔ５）。このように、複数の検出部２０は、押し操作の解除にともなって操作ボタン１２が発電位置から定常位置に戻るまでの間に、押し操作の検出状態を解除する。
【００９１】
例えば、操作ボタン１２が最下点位置まで移動した際に検出を行う場合には、制御ユニット２６が起動して検出部２０の検出を判別するまで、操作ボタン１２を長押ししておく必要がある。これに対して、リモコン装置１０では、操作ボタン１２が最下点位置から離れてもすぐには押し操作の検出状態が解除されず、検出状態の解除までに時間的な猶予ができる。これにより、操作ボタン１２の長押しを抑制することができる。例えば、有線式や電池式などの従来のリモコン装置と同様の使用感を使用者に提供することができる。
【００９２】
例えば、操作ボタン１２を発電位置まで移動させた後、即座に押し操作を解除しても、操作された操作ボタン１２を制御ユニット２６で適切に判別できるように、ホール素子２０ａや磁石２０ｂの位置、操作ボタン１２の戻る速度（弾性体の弾性力など）、及び、制御ユニット２６の動作速度などを調整する。すなわち、即座に押し操作を解除しても、制御ユニット２６で判別が行われる前に、検出部２０の検出状態が解除されないようにする。これにより、リモコン装置１０の誤動作を適切に抑制することができる。
【００９３】
次に、図８から図１１を参照して、リモコン装置の各ボタンが押された際の信号生成と送信のフローについて説明する。図８は、本発明の第１実施形態に係る制御装置が有する特殊モード信号用テーブルの例を表す図である。図９Ａ及び図９Ｂは、本発明の第１実施形態に係るリモコン装置の信号生成・送信フローを表すフローチャートである。図１０は、本発明の第１実施形態に係るトイレ装置の受信・動作フローを表すメインフローチャートであり、図１１は、本発明の第１実施形態に係るトイレ装置の受信・動作フローを表すサブフローチャートである。図９Ａ及び図９Ｂは、具体的には、メインボタン群１２ｍと、サブボタン群１２ｓのいずれかのボタンが押された際の、信号の生成と送信に関する制御的な処理を表すものである。また、図１０及び図１１は、リモコン装置の各ボタンが押された際の受信と動作に関する制御的な処理を表すものである。
【００９４】
制御ユニット２６は、特殊モード信号用テーブルを記憶する記憶部（図示なし）を有している。図８に表すように、特殊モード信号用テーブルとは、各特殊モードに移行するための操作順序のテーブルである。なお、特殊モードは、１種類ではなく、複数種類あってもよい。また、本実施形態では、特殊モード信号を送信するための操作ボタン１２の押し操作回数が３回である例について説明するが、特殊モード信号を送信するための操作ボタン１２の押し操作回数が４回以上であってもよいし、２回であってもよい。ただし、特殊モード信号を送信するための操作ボタン１２の押し操作回数は、複数回である。
【００９５】
まず、使用者は、複数の操作ボタン１２のうち何れかの操作ボタン１２を押し操作する（図９Ａ：Ｓ１０）。使用者が各操作ボタン１２のいずれかを押すと、蓄電素子５０の充電が開始される。蓄電素子５０の充電が開始すると、電圧検出部５４は、蓄電素子５０の電圧Ｖが所定値Ｖｍ以上となったか否かを判断する（図９Ａ：Ｓ１２）。蓄電素子５０の電圧Ｖが所定値Ｖｍ以上となったことが検出できると（図９Ａ：Ｓ１２−Ｙｅｓ）、蓄電素子５０からマイコン４０への電力の供給が開始され、マイコン４０が起動して通常モードとし、時間を計測するためのタイムカウントと、押し操作の回数をカウントするための回数カウントを開始する（図９Ａ：Ｓ１４）。一方、蓄電素子５０の電圧Ｖが所定値Ｖｍ以上となったことが検出できなければ（図９Ａ：Ｓ１２−Ｎｏ）、蓄電素子５０の電圧Ｖが所定値Ｖｍ以上となったことが検出できるまで、ステップＳ１２を繰り返す。
【００９６】
次に、起動したマイコン４０は、検出部２０から情報（いずれのボタンが押されたのか）を取得し、押し操作されたボタンを判別する（図９Ａ：Ｓ１６）。そして、押し操作されたボタンが、特殊モード信号用テーブルの１回目に該当するか否かを判断する（図９Ａ：Ｓ１８）。押し操作されたボタンが、特殊モード信号用テーブルの１回目に該当しないと判断すると（図９Ａ：Ｓ１８−Ｎｏ）、マイコン４０は、押し操作されたボタンに対応する無線信号（以下、「ボタン対応信号」という）を高周波発生回路４２で生成させる（図９Ａ：Ｓ２０）。そして、送信部４４からトイレ装置１００に向けて、ボタン対応信号の送信を行う（図９Ａ：Ｓ２２）。リモコン装置１０は、ボタン対応信号の送信を行った後、マイコン４０を低消費モードにする（図９Ａ：Ｓ２４）。そして、タイムカウント及び回数カウントをリセットする（図９Ａ：Ｓ２５）。なお、低消費モードとは、前述したとおり、少なくともタイマカウントを行い、回数カウントの記憶を継続でき、通常モードよりも電力の消費を抑えた状態を指す。
【００９７】
一方、マイコン４０は、押し操作されたボタンが、特殊モード信号用テーブルの１回目に該当すると判断すると（図９Ａ：Ｓ１８−Ｙｅｓ）、押し操作されたボタンに対応するボタン対応信号を高周波発生回路４２で生成させる（図９Ａ：Ｓ２６）。そして、送信部４４からトイレ装置１００に向けて、ボタン対応信号の送信を行う（図９Ａ：Ｓ２８）。リモコン装置１０は、ボタン対応信号の送信を行った後、マイコン４０を低消費モードにする（図９Ａ：Ｓ３０）。そして、タイムカウント及び回数カウントをリセットする（図９Ａ：Ｓ２５）。
【００９８】
次に、使用者が各操作ボタン１２のいずれかを押すと（図９Ａ：Ｓ３２）、蓄電素子５０の充電が開始される。蓄電素子５０の充電が開始すると、電圧検出部５４は、蓄電素子５０の電圧Ｖが所定値Ｖｍ以上となったか否かを判断する（図９Ａ：Ｓ３４）。蓄電素子５０の電圧Ｖが所定値Ｖｍ以上となったことが検出できると（図９Ａ：Ｓ３４−Ｙｅｓ）、蓄電素子５０からマイコン４０への電力の供給が開始され、マイコン４０が起動し、低消費モードから通常モードとなる（図９Ａ：Ｓ３６）。一方、蓄電素子５０の電圧Ｖが所定値Ｖｍ以上となったことが検出できなければ（図９Ａ：Ｓ３４−Ｎｏ）、蓄電素子５０の電圧Ｖが所定値Ｖｍ以上となったことが検出できるまで、ステップＳ３４を繰り返す。
【００９９】
次に、マイコン４０は、検出部２０から情報（いずれのボタンが押されたのか）を取得し、押し操作されたボタンを判別する（図９Ａ：Ｓ３８）。そして、押し操作されたボタンが、特殊モード信号用テーブルの２回目に該当するか否かを判断する（Ｓ４０）。押し操作されたボタンが、特殊モード信号用テーブルの１回目に該当しないと判断すると（図９Ａ：Ｓ４０−Ｎｏ）、マイコン４０は、ボタン対応信号を高周波発生回路４２で生成させる（図９Ａ：Ｓ４２）。そして、送信部４４からトイレ装置１００に向けて、ボタン対応信号の送信を行う（図９Ａ：Ｓ４４）。リモコン装置１０は、ボタン対応信号の送信を行った後、マイコン４０を低消費モードにする（図９Ａ：Ｓ４６）。そして、タイムカウント及び回数カウントをリセットする（図９Ａ：Ｓ２５）。
【０１００】
一方、マイコン４０は、押し操作されたボタンが、特殊モード信号用テーブルの２回目に該当すると判断すると（図９Ａ：Ｓ４０−Ｙｅｓ）、ボタン対応信号を高周波発生回路４２で生成させる（図９Ａ：Ｓ４８）。そして、送信部４４からトイレ装置１００に向けて、ボタン対応信号の送信を行う（図９Ａ：Ｓ５０）。リモコン装置１０は、ボタン対応信号の送信を行った後、マイコン４０を低消費モードにする（図９Ａ：Ｓ５２）。そして、図９Ｂに表す信号生成フロー２へと進む。
【０１０１】
次に、使用者が各操作ボタン１２のいずれかを押すと（図９Ｂ：Ｓ５４）、蓄電素子５０の充電が開始される。蓄電素子５０の充電が開始すると、電圧検出部５４は、蓄電素子５０の電圧Ｖが所定値Ｖｍ以上となったか否かを判断する（図９Ｂ：Ｓ５６）。蓄電素子５０の電圧Ｖが所定値Ｖｍ以上となったことが検出できると（図９Ｂ：Ｓ５６−Ｙｅｓ）、蓄電素子５０からマイコン４０への電力の供給が開始され、マイコン４０が低消費モードを解除して起動する（図９Ｂ：Ｓ５６）。一方、蓄電素子５０の電圧Ｖが所定値Ｖｍ以上となったことが検出できなければ（図９Ｂ：Ｓ５６−Ｎｏ）、蓄電素子５０の電圧Ｖが所定値Ｖｍ以上となったことが検出できるまで、ステップＳ５６を繰り返す。
【０１０２】
次に、マイコン４０は、検出部２０から情報（いずれのボタンが押されたのか）を取得し、押し操作されたボタンを判別する（図９Ｂ：Ｓ６０）。そして、押し操作されたボタンが、特殊モード信号用テーブルの３回目に該当するか否かを判断する（図９Ｂ：Ｓ６２）。押し操作されたボタンが、特殊モード信号用テーブルの３回目に該当しないと判断すると（図９Ｂ：Ｓ６２−Ｎｏ）、マイコン４０は、ボタン対応信号を高周波発生回路４２で生成させる（図９Ｂ：Ｓ６４）。そして、送信部４４からトイレ装置１００に向けて、ボタン対応信号の送信を行う（図９Ｂ：Ｓ６６）。リモコン装置１０は、ボタン対応信号の送信を行った後、マイコン４０を低消費モードにする（図９Ｂ：Ｓ６８）。そして、図９Ａに表すステップＳ２５へ進み、タイムカウント及び回数カウントをリセットする。
【０１０３】
一方、マイコン４０は、押し操作されたボタンが、特殊モード信号用テーブルの３回目に該当すると判断すると（図９Ｂ：Ｓ６２−Ｙｅｓ）、タイムカウントが開始されてから所定時間（例えば、３０秒）内に３回目の押し操作が行われたか否かを判断する（図９Ｂ：Ｓ７０）。
【０１０４】
タイムカウントが開始されてから所定時間内に３回目の押し操作が行われていないと判断すると（図９Ｂ：Ｓ７０―Ｎｏ）、マイコン４０は、ステップＳ６４へと進む。一方、タイムカウントが開始されてから所定時間内に３回目の押し操作が行われたと判断すると（図９Ｂ：Ｓ７０―Ｙｅｓ）、マイコン４０は、特殊モード信号用テーブルに対応する無線信号（以下、「特殊モード信号」という）を高周波発生回路４２で生成させる（図９Ｂ：Ｓ７２）。特殊モード信号は、ボタン対応信号とは異なる信号である。そして、送信部４４からトイレ装置１００に向けて、特殊モード信号の送信を行う（図９Ｂ：Ｓ７４）。リモコン装置１０は、特殊モード信号の送信を行った後、マイコン４０を低消費モードにする（図９Ｂ：Ｓ７６）。そして、図９Ａに表すステップＳ２５へ進み、タイムカウント及び回数カウントをリセットする。
【０１０５】
図１０に表すように、トイレ装置１００では、リモコン装置１０からの信号を受信する（図１０：Ｓ１０２）。トイレ制御部は、受信した信号が特殊モード信号か否かを判断する（図１０：Ｓ１０４）。受信した信号が特殊モード信号でないと判断すると（図１０：Ｓ１０４−Ｎｏ）、トイレ制御部は、受信したボタン対応信号に対応する動作を実行する（図１０：Ｓ１０６）。一方、ステップＳ１０４において、受信した信号が特殊モード信号であると判断すると（図１０：Ｓ１０４−Ｙｅｓ）。トイレ制御部は、受信した特殊モード信号に対応する特殊モード状態に移行する（図１０：Ｓ１０８）。ここで、特殊モード状態とは、トイレ装置とリモコン装置とのペアリングや、管理者や施工者などの特定の者のみ使用することができる温度調整や流量調整等の設定を行うことのできる状態である。
【０１０６】
特殊モード状態に入ると（図１０：Ｓ１０８）、図１１に表すサブフローへ進む。そして、トイレ制御部は、リモコン装置１０から信号を受信したか否かを判断する（図１１：Ｓ２００）。リモコン装置１０から信号を受信したと判断すると（図１１：Ｓ２００−Ｙｅｓ）、トイレ制御部は、受信した信号が特殊モード状態で使用する特殊設定の信号（以下、「特殊設定信号」という）か否かを判断する（図１１：Ｓ２０２）。受信した信号が特殊設定信号でないと判断すると（図１１：Ｓ２０２−Ｎｏ）、サブフローを終了してメインフローへ戻り、再び図１０に表すステップＳ１０２の処理を実行する。一方、ステップＳ２０２において、受信した信号が特殊設定信号であると判断すると（図１１：Ｓ２０２−Ｙｅｓ）、トイレ制御部は、特殊設定信号に対応する設定を行う（図１１：Ｓ２０４）。その後、サブフローを終了してメインフローへ戻り、再び図１０に表すステップＳ１０３の処理を実行する。
【０１０７】
一方、図１１に表すステップＳ２００において、リモコン装置１０から信号を受信していないと判断すると（図１１：Ｓ２００−Ｎｏ）、トイレ制御部は、特殊モード状態に入ってから所定時間（例えば、６０秒）経過したか否かを判断する（図１１：Ｓ２０６）。特殊モード状態に入ってから所定時間経過したと判断すると（図１１：Ｓ２０６−Ｙｅｓ）、サブフローを終了してメインフローへ戻り、再び図１０に表すステップＳ１０３の処理を実行する。一方、特殊モード状態に入ってから所定時間経過していないと判断すると（図１１：Ｓ２０６−Ｎｏ）、図１１に表すステップＳ２００に戻る。
【０１０８】
このように、本実施形態にかかるリモコン装置１０では、所定時間内に複数の操作ボタン１２のうち少なくとも１つの操作ボタン１２の押し操作が複数回（本実施形態では、３回）押し操作されることで、特殊モード信号をトイレ装置１００に向けて送信する。よって、押し操作で発電するリモコン装置１０において、大型化せずに特殊モード信号をトイレ装置１００に向けて送信することができる。
【０１０９】
なお、特殊モード信号を送信するために複数回連続して押し操作される操作ボタン１２は、１種類の操作ボタン１２でもよいし、異なる２つ以上の操作ボタン１２でもよい。異なる２つ以上の操作ボタン１２を複数回押し操作されることで、特殊モード信号をトイレ装置１００に向けて送信する場合、異なる操作ボタン１２が所定時間内それぞれ複数回連続して押し操作されることで、特殊モード信号をトイレ装置１００に向けて送信してもよいし、異なる操作ボタン１２が所定時間内に交互に押し操作されることで、特殊モード信号をトイレ装置１００に向けて送信してもよい。特殊モード信号を送信するために複数回連続して押し操作される操作ボタン１２は、異なる２つ以上の操作ボタン１２である場合、誤って特殊モード信号がトイレ装置１００へ向けて送信されてしまうことを抑制することができる。
【０１１０】
また、図９Ａに表す、ステップＳ２４、ステップＳ４６、図９Ｂに表すステップＳ６８、ステップＳ７６において、送信できる電力がある限りボタン対応信号または特殊モード信号を送信しても良い。この場合、マイコン４０は動作が行われない状態である停止モードに入る。停止モードでは、タイムカウントと回数カウントの記憶が継続できない。よって、停止モードから通常モードになると、タイムカウント及び回数カウントは、初期状態（ゼロ）から開始される。
【０１１１】
また、本実施形態にかかるリモコン装置１０では、図９Ａに表すように、タイムカウントの開始と回数カウントの開始をステップＳ１４のマイコン４０が起動時としているが、ステップＳ１６の押し操作されたボタンの検出時としてもよい。
【０１１２】
また、ボタン対応信号及び特殊モード信号を送信部４４からトイレ装置１００に向けて送信する際、タイムカウントのデータも送信してもよい。この場合、リモコン装置１０のタイムカウントと同期してトイレ装置１００側でタイムカウントを行うことができる。これにより、トイレ装置１００は、所定時間以内にボタン対応信号及び特殊モード信号を受信しない場合、リモコン装置１０と同様に、トイレ装置１００も通常モードから省エネモードへと移行することができる。
【０１１３】
また、所定時間とは、本実施形態のように固定値でもよいし、変動値でもよい。所定時間が変動値である例として、所定時間をマイコン４０が停止モードになるまでの時間としてもよい。この場合、マイコン４０にカウントタイマを設ける必要がなく、カウントタイマを設けることで消費する電力を抑えることができる。
【０１１４】
（第２の実施形態）
以下、本発明における第１の実施形態の変形例である第２の実施形態について図１２を参照しつつ説明する。図１２Ａ及び図１２Ｂは、本発明の第２の実施形態に係るリモコン装置の信号生成・送信フローを表すフローチャートであり、具体的には、メインボタン群１２ｍと、サブボタン群１２ｓのいずれかのボタンが押された際の、信号の生成と送信に関する制御的な処理を表すものである。なお、第２の実施形態にかかるリモコン装置１０の基本構成及び基本制御手順については、第１の実施形態で説明した内容と同様であるため、同一の構成及び制御手順には同符号を付し、説明は省略する。
【０１１５】
前述した第１実施形態に係るリモコン装置１０の制御手順と異なる点は、図１２Ｂに表すように、図９Ｂに表すステップＳ７０が削除され、図１２Ａに表すステップＳ７８及び図１２Ｂに表すステップＳ８０が追加となっている点である。以下、第１の実施形態にかかるリモコン装置１０の制御手順と異なる部分のみ詳細に説明する。
【０１１６】
図１２Ａに表すように、本実施形態では、ステップＳ４０において、マイコン４０が、押し操作されたボタンが特殊モード信号用テーブルの２回目に該当すると判断すると（図１２Ａ：Ｓ４０−Ｙｅｓ）、タイムカウントが開始されてから所定間隔時間（例えば、２０秒）内に２回目の押し操作が行われたか否かを判断する（図１２Ａ：Ｓ７８）。言い換えると、１回目の押し操作が行われてから２回目の押し操作が行われるまでの操作間隔が、所定間隔時間内であるか否かを判断する。そして、１回目の押し操作が行われてから２回目の押し操作が行われるまでの操作間隔が、所定間隔時間内でないと判断すると（図１２Ａ：Ｓ７８−Ｎｏ）、ステップＳ４２へ進み、第１の実施形態と同じ処理を実行する。一方、１回目の押し操作が行われてから２回目の押し操作が行われるまでの操作間隔が、所定間隔時間内であると判断すると（図１２Ａ：Ｓ７８−Ｙｅｓ）、ステップＳ４８へ進み、第１の実施形態と同じ処理を実行する。
【０１１７】
また、図１２Ｂに表すように、本実施形態では、ステップＳ６２において、マイコン４０が、押し操作されたボタンが特殊モード信号用テーブルの３回目に該当すると判断すると（図１２Ｂ：Ｓ６２−Ｙｅｓ）、２回目の押し操作が行われてから３回目の押し操作が行われるまでの操作間隔が、所定間隔時間内であるか否かを判断する（図１２Ｂ：Ｓ８０）。そして、２回目の押し操作が行われてから３回目の押し操作が行われるまでの操作間隔が、所定間隔時間内でないと判断すると（図１２Ｂ：Ｓ８０−Ｎｏ）、ステップＳ６４へ進み、第１の実施形態と同じ処理を実行する。一方、２回目の押し操作が行われてから３回目の押し操作が行われるまでの操作間隔が、所定間隔時間内であると判断すると（図１２Ｂ：Ｓ８０−Ｙｅｓ）、ステップＳ７２へ進み、第１の実施形態と同じ処理を実行する。
【０１１８】
このように、本実施形態にかかるリモコン装置１０では、操作ボタン１２の押し操作が行われたと判断してから次に操作ボタン１２の押し操作が行われるまでの操作間隔が所定間隔時間よりも短い状態で、操作ボタン１２の押し操作が複数回（本実施形態では、３回）行われることで、特殊モード信号をトイレ装置１００に向けて送信する。よって、押し操作で発電するリモコン装置において、押し操作で発電するリモコン装置１０において、大型化せずに特殊モード信号をトイレ装置１００に向けて送信することができる。
【０１１９】
なお、特殊モード信号を送信するために複数回連続して押し操作される操作ボタン１２は、１種類の操作ボタン１２でもよいし、異なる２つ以上の操作ボタン１２でもよい。異なる２つ以上の操作ボタン１２を複数回押し操作されることで、特殊モード信号をトイレ装置１００に向けて送信する場合、誤って特殊モード信号がトイレ装置１００へ向けて送信されてしまうことを抑制することができる。
【０１２０】
また、ボタン対応信号及び特殊モード信号を送信部４４からトイレ装置１００に向けて送信する際、タイムカウントのデータも送信してもよい。この場合、リモコン装置１０のタイムカウントと同期してトイレ装置１００側でタイムカウントを行うことができる。これにより、トイレ装置１００は、所定時間以内にボタン対応信号及び特殊モード信号を受信しない場合、リモコン装置１０と同様に、トイレ装置１００も通常モードから省エネモードへと移行することができる。
【０１２１】
また、所定時間とは、本実施形態のように固定値でもよいし、変動値でもよい。所定時間が変動値である例として、所定時間をマイコン４０が停止モードになるまでの時間としてもよい。この場合、マイコン４０にカウントタイマを設ける必要がなく、カウントタイマを設けることで消費する電力を抑えることができる。
【０１２２】
（第３の実施形態）
以下、本発明における第２の実施形態の変形例である第３の実施形態について図１３を参照しつつ説明する。図１３Ａ及び図１３Ｂは、本発明の第３の実施形態に係るリモコン装置の信号生成・送信フローを表すフローチャートであり、具体的には、メインボタン群１２ｍと、サブボタン群１２ｓのいずれかのボタンが押された際の、信号の生成と送信に関する制御的な処理を表すものである。なお、第３の実施形態にかかるリモコン装置１０の基本構成及び基本制御手順については、第２の実施形態で説明した内容と同様であるため、同一の構成及び制御手順には同符号を付し、説明は省略する。
【０１２３】
前述した第２実施形態に係るリモコン装置１０の制御手順と異なる点は、図１３Ｂに表すように、図１３Ｂに表すステップＳ８２が追加となっている点である。以下、第２の実施形態にかかるリモコン装置１０の制御手順と異なる部分のみ詳細に説明する。
【０１２４】
図１３Ｂに表すように、本実施形態では、ステップＳ８０において、２回目の押し操作が行われてから３回目の押し操作が行われるまでの操作間隔が、所定間隔時間内であると判断すると（図１３Ｂ：Ｓ８０−Ｙｅｓ）、受付時間（例えば、３０秒）内に複数回（本実施形態では、３回）押し操作されたか否かを判断する（図１３Ｂ：Ｓ８２）。言い換えると、１回目の押し操作が行われてから、３回目の押し操作が行われるまでの経過時間が、受付時間よりも短いか否かを判断する。ここで、受付時間は、所定間隔時間よりも長く設定された時間である。具体的には、本実施形態では、所定間隔時間に、特殊モード信号を送信するために必要な押し操作の回数（本実施形態では、３回）から１を引いた数をかけて算出された時間よりも短い時間に設定されている。
【０１２５】
受付時間（例えば、３０秒）内に複数回（本実施形態では、３回）押し操作されていないと判断すると（図１３Ｂ：Ｓ８２−Ｎｏ）、ステップＳ６４へ進み、第２の実施形態と同じ処理を実行する。一方、受付時間（例えば、３０秒）内に複数回（本実施形態では、３回）押し操作されたと判断すると（図１３Ｂ：Ｓ８２−Ｙｅｓ）、ステップＳ７２へ進み、第２の実施形態と同じ処理を実行する。
【０１２６】
このように、本実施形態にかかるリモコン装置１０では、操作ボタン１２の押し操作が行われたと判断してから次に操作ボタン１２の押し操作が行われるまでの操作間隔が所定間隔時間（例えば、２０秒）よりも短い状態で、受付時間（例えば、３０秒）内に操作ボタン１２の押し操作が複数回（本実施形態では、３回）行われることで、特殊モード信号をトイレ装置１００に向けて送信する。言い換えると、操作ボタン１２の押し操作が行われたと判断してから次に操作ボタン１２の押し操作が行われるまでの操作間隔が所定間隔時間（例えば、２０秒）よりも短い状態で、停止ボタン１２ｄが最初に押し操作されてから複数回（本実施形態では、３回）に達するまでの経過時間が、受付時間（例えば、３０秒）より短いことで、特殊モード信号をトイレ装置１００に向けて送信する。よって、押し操作で発電するリモコン装置において、誤って特殊モード信号がトイレ装置１００へ向けて送信されてしまうことを抑制することができる。
【０１２７】
なお、特殊モード信号を送信するために複数回連続して押し操作される操作ボタン１２は、１種類の操作ボタン１２でもよいし、異なる２つ以上の操作ボタン１２でもよい。異なる２つ以上の操作ボタン１２を複数回押し操作されることで、特殊モード信号をトイレ装置１００に向けて送信する場合、誤って特殊モード信号がトイレ装置１００へ向けて送信されてしまうことを抑制することができる。
【０１２８】
また、ボタン対応信号及び特殊モード信号を送信部４４からトイレ装置１００に向けて送信する際、タイムカウントのデータも送信してもよい。この場合、リモコン装置１０のタイムカウントと同期してトイレ装置１００側でタイムカウントを行うことができる。これにより、トイレ装置１００は、所定時間以内にボタン対応信号及び特殊モード信号を受信しない場合、リモコン装置１０と同様に、トイレ装置１００も通常モードから省エネモードへと移行することができる。
【０１２９】
また、所定時間とは、本実施形態のように固定値でもよいし、変動値でもよい。所定時間が変動値である例として、所定時間をマイコン４０が停止モードになるまでの時間としてもよい。この場合、マイコン４０にカウントタイマを設ける必要がなく、カウントタイマを設けることで消費する電力を抑えることができる。
【０１３０】
（第４の実施形態）
以下、本発明における第１の実施形態の変形例である第４の実施形態について図１４及び図１５を参照しつつ説明する。図１４は、本発明の第４の実施形態に係るリモコン装置の信号生成・送信フローを表すフローチャートであり、具体的には、メインボタン群１２ｍと、サブボタン群１２ｓのいずれかのボタンが押された際の、信号の生成と送信に関する制御的な処理を表すものである。また、図１５Ａ及び図１５Ｂは、本発明の第４の実施形態に係るトイレ装置の受信・動作フローを表すメインフローチャートであり、具体的には、リモコン装置の各ボタンが押された際の受信と動作に関する制御的な処理を表すものである。なお、第４の実施形態にかかるリモコン装置１０の基本構成については、第１の実施形態で説明した内容と同様であるため、同一の構成には同符号を付し、説明は省略する。
【０１３１】
本実施形態では、制御ユニット２６ではなく、トイレ制御部が特殊モード信号用テーブルを記憶する記憶部（図示なし）を有している。特殊モード信号用テーブルとは、第１実施形態で示した各特殊モードに移行するための操作順序のテーブルと同様である。なお、特殊モードは、１種類ではなく、複数種類あってもよい。また、本実施形態では、特殊モード信号を送信するための操作ボタン１２の押し操作回数が３回である例について説明するが、特殊モード信号を送信するための操作ボタン１２の押し操作回数が４回以上であってもよいし、２回であってもよい。
【０１３２】
まず、使用者は、複数の操作ボタン１２のうち何れかの操作ボタン１２を押し操作する（図１４：Ｓ３００）。使用者が各操作ボタン１２のいずれかを押すと、蓄電素子５０の充電が開始される。蓄電素子５０の充電が開始すると、電圧検出部５４は、蓄電素子５０の電圧Ｖが所定値Ｖｍ以上となったか否かを判断する（図１４：Ｓ３０２）。蓄電素子５０の電圧Ｖが所定値Ｖｍ以上となったことが検出できると（図１４：Ｓ３０２−Ｙｅｓ）、蓄電素子５０からマイコン４０への電力の供給が開始され、マイコン４０が起動する（図１４：Ｓ３０４）。一方、蓄電素子５０の電圧Ｖが所定値Ｖｍ以上となったことが検出できなければ（図１４：Ｓ３０２−Ｎｏ）、蓄電素子５０の電圧Ｖが所定値Ｖｍ以上となったことが検出できるまで、ステップＳ３０２を繰り返す。
【０１３３】
次に、起動したマイコン４０は、検出部２０から情報（いずれのボタンが押されたのか）を取得し、押し操作されたボタンを判別する（図１４：Ｓ３０６）。そして、マイコン４０は、ボタン対応信号を高周波発生回路４２で生成させる（図１４：Ｓ３０８）。続いて、送信部４４からトイレ装置１００に向けて、ボタン対応信号の送信を行う（図１４：Ｓ３１０）。リモコン装置１０は、ボタン対応信号の送信を行った後、マイコン４０を低消費モードにする（図１４：Ｓ３１２）。なお、ステップＳ３１２において、マイコン４０を停止モードにしてもよい。これにより、リモコン装置１の消費電力を抑えることができる。
【０１３４】
また、トイレ装置１００では、リモコン装置１０からのボタン対応信号を受信するとともに、時間を計測するためのタイムカウントと、押し操作の回数をカウントするための回数カウントを開始する（図１５Ａ：Ｓ４０２）。
【０１３５】
次に、トイレ制御部は、受信したボタン対応信号が特殊モード信号用テーブルの１回目に該当するか否かを判断する（図１５Ａ：Ｓ４０４）。受信したボタン対応信号が特殊モード信号用テーブルの１回目に該当しないと判断すると（図１５Ａ：Ｓ４０４−Ｎｏ）、トイレ制御部は、受信したボタン対応信号に対応する通常動作を実行する（図１５Ａ：Ｓ４０６）。そして、タイムカウント及び回数カウントをリセットする（図１５Ａ：Ｓ４０８）。
【０１３６】
一方、受信したボタン対応信号が特殊モード信号用テーブルの１回目に該当すると判断すると（図１５Ａ：Ｓ４０４−Ｙｅｓ）、トイレ制御部は、受信したボタン対応信号に対応する通常動作を実行する（図１５Ａ：Ｓ４１０）。続いて、トイレ制御部は、リモコン装置１０からのボタン対応信号を受信する（図１５Ａ：Ｓ４１２）。
【０１３７】
次に、トイレ制御部は、受信したボタン対応信号が特殊モード信号用テーブルの２回目に該当するか否かを判断する（図１５Ａ：Ｓ４１４）。受信したボタン対応信号が特殊モード信号用テーブルの２回目に該当しないと判断すると（図１５Ａ：Ｓ４１４−Ｎｏ）、トイレ制御部は、受信したボタン対応信号に対応する通常動作を実行する（図１５Ａ：Ｓ４１６）。そして、タイムカウント及び回数カウントをリセットする（図１５Ａ：Ｓ４０８）。
【０１３８】
一方、受信したボタン対応信号が特殊モード信号用テーブルの２回目に該当すると判断すると（図１５Ａ：Ｓ４１４−Ｙｅｓ）、トイレ制御部は、受信したボタン対応信号に対応する通常動作を実行する（図１５Ａ：Ｓ４１８）。そして、図１５Ｂに表す受信・特殊モード切換えフロー２へと進む。
【０１３９】
次に、トイレ制御部は、リモコン装置１０からのボタン対応信号を受信する（図１５Ｂ：Ｓ４２０）。トイレ制御部は、受信したボタン対応信号が特殊モード信号用テーブルの３回目に該当するか否かを判断する（図１５Ｂ：Ｓ４２２）。受信したボタン対応信号が特殊モード信号用テーブルの３回目に該当しないと判断すると（図１５Ｂ：Ｓ４２２−Ｎｏ）、トイレ制御部は、受信したボタン対応信号に対応する通常動作を実行する（図１５Ｂ：Ｓ４２４）。そして、図１５Ａに表すステップＳ４０８へ進み、タイムカウント及び回数カウントをリセットする。
【０１４０】
一方、受信したボタン対応信号が特殊モード信号用テーブルの３回目に該当すると判断すると（図１５Ａ：Ｓ４１４−Ｙｅｓ）、トイレ制御部は、特殊モード信号用テーブルに対応する特殊モード動作へ移行する（図１５Ａ：Ｓ４１８）。ここで、特殊モード動作とは、受信したボタン対応信号に対応する通常動作とは異なる動作である。特殊モード状態に入ると（図１５Ａ：Ｓ４１８）、図１１に表すサブフローへ進む。図１１に表すサブフローから戻ると、タイムカウント及び回数カウントをリセットする（図１５Ａ：Ｓ４０８）。
【０１４１】
このように、本実施形態にかかるトイレ装置Ｓでは、トイレ制御部が所定時間（例えば、２０秒）以内にボタン対応信号を複数回（本実施形態では、３回）受信したと判断すると、ボタン対応信号に対応した通常動作とは異なる特殊モード動作を実行する。よって、押し操作で発電するリモコン装置１０を備えたトイレシステムＳにおいて、大型化せずに特殊モード動作を実行することができる。
【０１４２】
また、本実施形態にかかるトイレシステムＳでは、操作ボタン１２の連続押しをリモコン装置１０ではなくトイレ装置Ｓにてカウントするため、リモコン装置１０の消費電力を抑えることができる。
【０１４３】
なお、特殊モード動作を実行するために複数回連続して押し操作される操作ボタン１２は、１種類の操作ボタン１２でもよいし、異なる２つ以上の操作ボタン１２でもよい。異なる２つ以上の操作ボタン１２を複数回押し操作されることで、特殊モード動作を実行する場合、異なる操作ボタン１２が所定時間内それぞれ複数回連続して押し操作されることで、特殊モード動作が実行されてもよいし、異なる操作ボタン１２が所定時間内に交互に押し操作されることで、特殊モード動作が実行されてもよい。特殊モード動作を実行するために複数回連続して押し操作される操作ボタン１２は、異なる２つ以上の操作ボタン１２である場合、誤って特殊モード動作を実行してしまうことを抑制することができる。
【０１４４】
（第５の実施形態）
以下、本発明における第４の実施形態の変形例である第５の実施形態について図１６を参照しつつ説明する。図１６Ａ及び図１６Ｂは、本発明の第５の実施形態に係るトイレ装置の受信・動作フローを表すメインフローチャートであり、具体的には、リモコン装置の各ボタンが押された際の受信と動作に関する制御的な処理を表すものである。なお、第５の実施形態にかかるリモコン装置１０の基本構成及び基本制御手順については、第４の実施形態で説明した内容と同様であるため、同一の構成及び制御手順には同符号を付し、説明は省略する。
【０１４５】
前述した第４の実施形態に係るトイレシステムＳの制御手順と異なる点は、図１６に表すように、図１５Ｂに表すステップＳ４２６が削除され、図１６Ａに表すステップＳ４３０及び図１６Ｂに表すステップＳ４３２が追加となっている点である。以下、第４の実施形態にかかるトイレシステムＳの制御手順と異なる部分のみ詳細に説明する。
【０１４６】
図１６Ａに表すように、本実施形態では、ステップＳ４１４において、トイレ制御部が、受信したボタン対応信号が特殊モード信号用テーブルの２回目に該当すると判断すると（図１６Ａ：Ｓ４１４−Ｙｅｓ）、タイムカウントが開始されてから所定間隔時間（例えば、２０秒）内に２回目のボタン対応信号を受信したか否かを判断する（図１６Ａ：Ｓ４３０）。言い換えると、１回目のボタン対応信号を受信してから２回目のボタン対応信号を受信するまでの受信間隔が、所定間隔時間内であるか否かを判断する。そして、１回目のボタン対応信号を受信してから２回目のボタン対応信号を受信するまでの受信間隔が、所定間隔時間内でないと判断すると（図１６Ａ：Ｓ４３０−Ｎｏ）、ステップＳ４１６へ進み、第４の実施形態と同じ処理を実行する。一方、１回目のボタン対応信号を受信してから２回目のボタン対応信号を受信するまでの受信間隔が、所定間隔時間内であると判断すると（図１６Ａ：Ｓ４３０−Ｙｅｓ）、ステップＳ４１８へ進み、第４の実施形態と同じ処理を実行する。
【０１４７】
また、図１６Ｂに表すように、本実施形態では、ステップＳ４２２において、トイレ制御部が、受信したボタン対応信号が特殊モード信号用テーブルの３回目に該当すると判断すると（図１６Ｂ：Ｓ４２２−Ｙｅｓ）、２回目のボタン対応信号を受信してから３回目のボタン対応信号を受信するまでの受信間隔が、所定間隔時間内であるか否かを判断する（図１６Ｂ：Ｓ４３２）。そして、２回目のボタン対応信号を受信してから３回目のボタン対応信号を受信するまでの受信間隔が、所定間隔時間内でないと判断すると（図１６Ｂ：Ｓ４３２−Ｎｏ）、ステップＳ４２４へ進み、第４の実施形態と同じ処理を実行する。一方、２回目のボタン対応信号を受信してから３回目のボタン対応信号を受信するまでの受信間隔が、所定間隔時間内であると判断すると（図１６Ｂ：Ｓ４３２−Ｙｅｓ）、ステップＳ４２８へ進み、第４の実施形態と同じ処理を実行する。
【０１４８】
このように、本実施形態にかかるトイレ装置Ｓでは、トイレ制御部がボタン対応信号を受信してから次にボタン対応信号を受信するまでの受信間隔が所定間隔時間（例えば、２０秒）よりも短い状態で、ボタン対応信号を複数回（本実施形態では、３回）受信したと判断すると、ボタン対応信号に対応した通常動作とは異なる特殊モード動作を実行する。よって、押し操作で発電するリモコン装置１０を備えたトイレシステムＳにおいて、大型化せずに特殊モード動作を実行することができる。
【０１４９】
なお、特殊モード動作を実行するために複数回連続して押し操作される操作ボタン１２は、１種類の操作ボタン１２でもよいし、異なる２つ以上の操作ボタン１２でもよい。異なる２つ以上の操作ボタン１２を複数回押し操作されることで特殊モード動作が実行される場合、誤って特殊モード動作が実行されてしまうことを抑制することができる。
【０１５０】
（第６の実施形態）
以下、本発明における第５の実施形態の変形例である第６の実施形態について図１７を参照しつつ説明する。図１７Ａ及び図１７Ｂは、本発明の第６の実施形態に係るトイレ装置の受信・動作フローを表すメインフローチャートであり、具体的には、リモコン装置の各ボタンが押された際の受信と動作に関する制御的な処理を表すものである。なお、第６の実施形態にかかるリモコン装置１０の基本構成及び基本制御手順については、第５の実施形態で説明した内容と同様であるため、同一の構成及び制御手順には同符号を付し、説明は省略する。
【０１５１】
前述した第５実施形態に係るトイレシステムＳの制御手順と異なる点は、図１７Ｂに表すように、ステップＳ４３４が追加となっている点である。以下、第５の実施形態にかかるトイレシステムＳの制御手順と異なる部分のみ詳細に説明する。
【０１５２】
図１７Ｂに表すように、本実施形態では、ステップＳ４３２において、２回目のボタン対応信号を受信してから３回目のボタン対応信号を受信するまでの受信間隔が、所定間隔時間内であると判断すると（図１７Ｂ：Ｓ４３２−Ｙｅｓ）、受付時間（例えば、３０秒）内に複数回（本実施形態では、３回）ボタン対応信号を受信したか否かを判断する（図１７Ｂ：Ｓ４３４）。言い換えると、１回目のボタン対応信号を受信してから、３回目のボタン対応信号を受信するまでの経過時間が、受付時間よりも短いか否かを判断する。ここで、受付時間は、所定間隔時間よりも長く設定された時間である。具体的には、本実施形態では、所定間隔時間に、特殊モードを実行するために必要な受信回数（本実施形態では、３回）から１を引いた数をかけて算出された時間よりも短い時間に設定されている。
【０１５３】
受付時間（例えば、３０秒）内に複数回（本実施形態では、３回）ボタン対応信号を受信していないと判断すると（図１７Ｂ：Ｓ４３４−Ｎｏ）、ステップＳ４２４へ進み、第５の実施形態と同じ処理を実行する。一方、受付時間（例えば、３０秒）内に複数回（本実施形態では、３回）ボタン対応信号を受信したと判断すると（図１７Ｂ：Ｓ４３４−Ｙｅｓ）、ステップＳ４２８へ進み、第２の実施形態と同じ処理を実行する。
【０１５４】
このように、本実施形態にかかるトイレシステムＳでは、トイレ制御部がボタン対応信号を受信してから次にボタン対応信号を受信するまでの受信間隔が所定間隔時間（例えば、２０秒）よりも短い状態で、受付時間（例えば、３０秒）内にボタン対応信号を複数回（本実施形態では、３回）受信したと判断すると、ボタン対応信号に対応した通常動作とは異なる特殊モード動作を実行する。よって、押し操作で発電するリモコン装置１０を備えたトイレシステムＳにおいて、大型化せずに特殊モード動作を実行することができる。
【０１５５】
なお、特殊モード動作を実行するために複数回連続して押し操作される操作ボタン１２は、１種類の操作ボタン１２でもよいし、異なる２つ以上の操作ボタン１２でもよい。異なる２つ以上の操作ボタン１２を複数回押し操作されることで特殊モード動作が実行される場合、誤って特殊モード動作が実行されてしまうことを抑制することができる。
【０１５６】
上記実施形態では、便器１１０と便座ユニット１２０とが一体になった一体型のトイレ装置１００を例示している。便座ユニット１２０は、例えば、便器１１０に対して着脱可能に取り付けられる、いわゆるシート型の便座ユニットでもよい。この場合、便座ユニットをトイレ装置としてもよい。また、大流しボタン１２ｊ及び小流しボタン１２ｋのみを設ける場合、トイレ装置は、例えば、無線通信機能付きのフラッシュバルブでもよい。
【０１５７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、リモコン装置１０などが備える各要素の形状、寸法、材質、配置などは、例示したものに限定されるわけではなく適宜変更することができる。
また、前述した各実施の形態が備える各要素は、技術的に可能な限りにおいて組み合わせることができ、これらを組み合わせたものも本発明の特徴を含む限り本発明の範囲に包含される。
【符号の説明】
【０１５８】
Ｓ   トイレシステム
１０ リモコン装置
１２ 操作ボタン
１４ リモコン本体
２０ 検出部
２２ 発電部
２４ 電源部
２６ 制御ユニット
３０ 伝達機構
３１ 第１伝達部
３２ 第２伝達部
３３ 連結部材
３４ 伝達カム
３５ 回転カム
４０ マイコン（リモコン制御部）
４２ 高周波発生回路
４４ 送信部
５０ 蓄電素子
５２ 整流器
５４ 電圧検出部
１００ トイレ装置
１１０ 洋式腰掛便器
１１２ ボウル部
１２０ 便座ユニット
１２２ 本体部
１２４ 便座
１２６ 便蓋
１３０ ノズル
１３２ 湾曲凹面
１３４ 延出部
１３６ ノズルダンパー
１３８ 温風ダンパー
【図２】
2015190237.tif 000003
【図４】
2015190237.tif 000004
【図５】
2015190237.tif 000005
【図９Ａ】
2015190237.tif 000006
【図９Ｂ】
2015190237.tif 000007
【図１０】
2015190237.tif 000008
【図１１】
2015190237.tif 000009
【図１２Ｂ】
2015190237.tif 000010
【図１４】
2015190237.tif 000011
【図１５Ｂ】
2015190237.tif 000012
【図１】
2015190237.tif 000013
【図３】
2015190237.tif 000014
【図６】
2015190237.tif 000015
【図７】
2015190237.tif 000016
【図８】
2015190237.tif 000017
【図１２Ａ】
2015190237.tif 000018
【図１３Ａ】
2015190237.tif 000019
【図１３Ｂ】
2015190237.tif 000020
【図１５Ａ】
2015190237.tif 000021
【図１６Ａ】
2015190237.tif 000022
【図１６Ｂ】
2015190237.tif 000023
【図１７Ａ】
2015190237.tif 000024
【図１７Ｂ】
2015190237.tif 000025